(57)【要約】【課題】短い時間にノイズキャンセルできる高周波受信部を実現する。【解決手段】この目的を達成するために、入力端子１０３ａを介して複数のノイズ信号を含む高周波信号が一方の入力に供給されるとともに複数のノイズ信号をそれぞれ位相キャンセルできるノイズキャンセル部１２３と、このノイズキャンセル部１２３の他方の入力に接続されるとともに複数のノイズ信号源に近接して設けることによりピックアップノイズ信号をそれぞれ抽出できるピックアップ用アンテナ１４２ａ、１４２ｂ、１４２ｃと、ノイズキャンセル部１２３からの信号が供給されるチューナ部１２５と、このチューナ部１２５からの出力信号が供給される復調回路１２７を設け、ノイズ信号をピックアップノイズ信号によりそれぞれノイズキャンセルする場合に、複数のピックアップノイズ信号のうち受信品質の劣化への影響度が大きい順に選択してノイズキャンセルする。【選択図】図１
2010021683.tif 000002
【特許請求の範囲】
【請求項１】
複数のノイズ信号源が内蔵されるとともに高周波信号を受信する高周波受信部であって、前記複数のノイズ信号を含む高周波信号が供給される入力端子と、この入力端子からの高周波信号が一方の入力に供給されるとともに前記複数のノイズ信号をそれぞれ位相キャンセルできるノイズキャンセル部と、このノイズキャンセル部の他方の入力に接続されるとともに前記複数のノイズ信号源に近接して設けることにより複数のピックアップノイズ信号を抽出できる複数のピックアップ用アンテナと、前記ノイズキャンセル部からの信号が供給されるチューナ部と、このチューナ部からの出力信号が供給されるとともに復調信号を出力する復調回路を設け、前記複数のノイズ信号を前記複数のピックアップノイズ信号によりそれぞれノイズキャンセルする場合に、前記複数のピックアップノイズ信号のうち受信品質の劣化への影響度が大きい順に選択してノイズキャンセルする高周波受信部。
【請求項２】
前記ノイズキャンセル部は、一方の入力と出力との間に接続されるとともに前記ノイズ信号をノイズキャンセルする合成器と、前記複数のピックアップ用アンテナがそれぞれ接続されるとともに前記合成器の他方の入力に前記複数のノイズキャンセル用のノイズ信号を供給する複数のキャンセル信号生成回路からなる請求項１に記載の高周波受信部。
【請求項３】
前記複数のピックアップ用アンテナと前記複数のノイズキャンセル部との間にオン・オフ制御の可能な複数のスイッチをそれぞれ設け、前記複数のスイッチを設け、前記複数のピックアップノイズ信号のうちの受信品質の劣化への影響度が大きい順に前記複数のスイッチをオンに制御する請求項１に記載の高周波受信部。
【請求項４】
高周波信号を受信する動作条件に応じて、前記複数のスイッチのうち予めオン動作させるスイッチの数を定めた請求項３に記載の高周波受信部。
【請求項５】
前記ノイズキャンセル部によるノイズキャンセルの動作は、前記復調回路から出力されるＢＥＲあるいはＣ／Ｎ等により受信品質を判定できる受信品質判定回路からの判定信号により開始される請求項１に記載の高周波受信部。
【請求項６】
前記ノイズキャンセル部によるノイズキャンセルの動作は、チューナ部に設けられた増幅器のＡＧＣ（自動利得制御）電圧を用いて弱電界を判定できる受信品質判定回路により開始される請求項１に記載の高周波受信部。
【請求項７】
請求項１に記載の高周波受信部が搭載された高周波機器であって、送受信の可能な送受信回路と変復調の可能な変復調回路とからなる送受信部と、この送受信部に設けられた送信用電力増幅器に電源を供給する電源回路と、前記高周波受信部あるいは前記送受信部の出力に接続されるデジタル信号処理部と、前記高周波受信回路、前記送受信部、デジタル信号処理部を制御するシステム制御部と、前記デジタル信号処理部に接続される映像表示部を備えた高周波機器。
【請求項８】
前記第１のピックアップ用アンテナを前記電源回路に近接して設けた請求項７に記載の高周波機器。
【請求項９】
前記第２のピックアップ用アンテナを前記デジタル信号処理部に近接して設けた請求項７に記載の高周波機器。
【請求項１０】
前記第３のピックアップ用アンテナを前記映像表示部に近接して設けた請求項７に記載の高周波機器。
【発明の詳細な説明】
【技術分野】
【０００１】
本発明は、携帯電話、携帯式のゲーム機、携帯式のコンピュータ、携帯式の辞書、カーナビゲーション等のように、画像表示部を有し、その画像表示部に対してデジタル信号処理部からの信号で画像を表示する高周波受信部とこれを用いた高周波機器に関するものである。
【背景技術】
【０００２】
近年の上記高周波機器は、部品の小型化、半導体素子の集積化がますます進んだことから、非常に軽く、また小型化が進んでいる。このため、高周波機器の機能をますます充実する試みも活発に行われている。
【０００３】
これにより、高周波機器では、携帯電話、携帯式のゲーム機、携帯式のコンピュータ、携帯式の辞書、カーナビゲーション等の機能を有し、さらにテレビ放送を視聴できるようになっている。
【０００４】
なお、この出願の発明に関連する先行技術文献情報としては、例えば、特許文献１が知られている。
【特許文献１】特開２００８−２２２９４号公報
【発明の開示】
【発明が解決しようとする課題】
【０００５】
しかしながら、従来の高周波機器では、この高周波機器に内蔵された画像表示部、システム制御部等からはクロック信号やその高調波信号であるノイズ信号が輻射され、これらがノイズ信号源となってテレビ用アンテナに飛び込み、特に弱電界における受信品質が劣化した。
【０００６】
この改善のため、テレビ用アンテナに飛び込んだ複数のノイズ信号源からの複数のノイズ信号に対して、複数のノイズキャンセル部によりノイズキャンセルの動作を行った。
【０００７】
ところが、例えばテレビ受信の可能な携帯電話では、テレビ受信時、携帯電話の通話におけるテレビ録画時、カメラ使用におけるテレビ録画時のそれぞれの使用条件において、これらノイズ信号源によるテレビ受信品質の劣化への影響度はそれぞれ異なっていた。
【０００８】
このテレビ受信品質の改善を行う場合に、いろんなテレビ受信条件を考慮してノイズ信号源の数だけノイズキャンセル回路を設けてノイズキャンセルを行うので長い処理時間が必要とされた。
【０００９】
そこで、短時間にノイズキャンセルの動作が可能な高周波受信部を実現することを目的とする。
【課題を解決するための手段】
【００１０】
この目的を達成するために、本発明の高周波受信部は、複数のノイズ信号源が内蔵されるとともに高周波信号を受信する高周波受信部であって、前記複数のノイズ信号を含む高周波信号が供給される入力端子と、この入力端子からの高周波信号が一方の入力に供給されるとともに前記複数のノイズ信号をそれぞれ位相キャンセルできるノイズキャンセル部と、このノイズキャンセル部の他方の入力に接続されるとともに前記複数のノイズ信号源に近接して設けることにより複数のピックアップノイズ信号を抽出できる複数のピックアップ用アンテナと、前記ノイズキャンセル部からの信号が供給されるチューナ部と、このチューナ部からの出力信号が供給されるとともに復調信号を出力する復調回路を設け、前記複数のノイズ信号を前記複数のピックアップノイズ信号によりそれぞれノイズキャンセルする場合に、前記複数のピックアップノイズ信号のうち受信品質の劣化への影響度が大きい順に選択してノイズキャンセルする。
【００１１】
これにより所期の目的を達成するものである。
【発明の効果】
【００１２】
以上のように、本発明の高周波受信部では、複数のノイズ信号源が内蔵されるとともに高周波信号を受信する高周波受信部であって、前記複数のノイズ信号を含む高周波信号が供給される入力端子と、この入力端子からの高周波信号が一方の入力に供給されるとともに前記複数のノイズ信号をそれぞれ位相キャンセルできるノイズキャンセル部と、このノイズキャンセル部の他方の入力に接続されるとともに前記複数のノイズ信号源に近接して設けることにより複数のピックアップノイズ信号を抽出できる複数のピックアップ用アンテナと、前記ノイズキャンセル部からの信号が供給されるチューナ部と、このチューナ部からの出力信号が供給されるとともに復調信号を出力する復調回路を設け、前記複数のノイズ信号を前記複数のピックアップノイズ信号によりそれぞれノイズキャンセルする場合に、前記複数のピックアップノイズ信号のうち受信品質の劣化への影響度が大きい順に選択してノイズキャンセルする。
【００１３】
これにより、ノイズ信号源からのノイズ信号により高周波信号の受信品質が劣化したとしても、複数のピックアップノイズ信号のうち受信品質の劣化への影響度が大きい順に選択してノイズキャンセルできる。
【００１４】
これにより、短時間にノイズキャンセル動作を完了でき、高周波信号の受信品質を改善できる。
【発明を実施するための最良の形態】
【００１５】
（実施の形態１）
以下、本発明の実施の形態１について、図１を用いて説明する。図１は、高周波機器１０１のブロック図である。本発明の実施の形態１では一実施例として、高周波信号としてＵＨＦ帯のデジタル放送信号を受信できるとともに携帯電話の機能を備えた高周波機器１０１の構成について説明する。
【００１６】
この高周波機器１０１は、テレビ用アンテナ１０２が入力端子１０３ａに接続される高周波受信部１０３と、携帯電話用アンテナ１０５が入出力端子１０７ａに接続される送受信部１０７と、高周波受信部１０３の出力信号と送受信部１０７からの入出力信号がそれぞれ接続されるデジタル信号処理部１０９と、これら高周波受信部１０３と送受信部１０７とデジタル信号処理部１０９を制御するシステム制御部１１１と、デジタル信号処理部１０９に接続される映像表示部１１５、音声出力部１１７、音声入力部１１９が設けられている。
【００１７】
最初に高周波受信部１０３について説明する。この高周波受信部１０３は、入力端子１０３ａから出力端子１０３ｂに向かって順に、テレビ用アンテナ１０２との整合損失を小さくするための整合器１２１、ノイズ信号をノイズキャンセルするノイズキャンセル部１２３、テレビ信号を受信するチューナ部１２５、入力信号を復調するとともにＴＳ（トランスポートストリーム）信号を出力する復調回路１２７が接続されている。
【００１８】
また、高周波受信部１０３には、復調回路１２７から出力されるＢＥＲあるいはＣ／Ｎ等の受信品質を予め定められた基準値と比較し判定する受信品質判定回路１２９が設けられている。この受信品質判定回路１２９からの判定信号は、システム制御部１１１に供給されて、システム全体を制御する。
【００１９】
さらに、ノイズキャンセル部１２３は、整合器１２１の出力とチューナ部１２５の入力との間に接続される合成器１３１と、合成器１３１の入力１３１ａと入力端子１２３ａの間に接続されるキャンセル信号生成回路１３３と、合成器１３１の入力１３１ｂと入力端子１２３ｂとの間に接続されるキャンセル信号生成回路１３７と、合成器１３１の入力１３１ｃと入力端子１２３ｃとの間に接続されるキャンセル信号生成回路１３８が設けられている。
【００２０】
このキャンセル信号生成回路１３３の入力、出力間には、位相制御器１３３ａと利得制御器１３３ｂが直列に接続されている。キャンセル信号生成回路１３７の入力、出力間には、位相制御器１３７ａと利得制御器１３７ｂが直列に接続されている。また、キャンセル信号生成回路１３８の入力、出力間には、位相制御器１３８ａと利得制御器１３８ｂが直列に接続されている。
【００２１】
また、高周波受信部１０３には、ピックアップ用アンテナ１４２ａ、１４２ｂ、１４２ｃのそれぞれ接続される入力端子１０３ｃ、１０３ｄ、１０３ｅが設けられている。
【００２２】
この入力端子１０３ｃと入力端子１２３ａとの間にはオン・オフ制御の可能なスイッチ１３９が接続されている。また、入力端子１０３ｄと入力端子１２３ｂとの間にはオン・オフ制御の可能なスイッチ１４０が接続されている。また、入力端子１０３ｅと入力端子１２３ｃとの間には、オン・オフ制御の可能なスイッチ１４１が接続されている。
【００２３】
次に、送受信部１０７は、入出力端子１０７ａに接続されるとともに携帯電話用の送受信信号を信号処理する送受信回路１４４と、送受信回路１４４の出力に接続されるとともに変調信号、復調信号の処理を行う変復調回路１４３と、送受信回路１４４内に設けられた送信用電力増幅器（ＰＡ）に電源を供給する電源回路１４５と、電源回路１４５に近接して設けられるとともにピックアップノイズ信号を抽出するピックアップ用アンテナ１４２ａが設けられている。
【００２４】
また、デジタル信号処理部１０９、映像表示部１１５には、ピックアップノイズ信号を抽出するピックアップ用アンテナ１４２ｂ、１４２ｃが近接してそれぞれ設けられている。
【００２５】
図２は、高周波機器１０１の主要部である各ブロックの配置を表した図であり、携帯電話で通話をするため、或いはテレビを見るために第２のケース１６５を第１のケース１６１上に開いた状態を示している。
【００２６】
図２において、第１のケース１６１には、ヒンジ部１６３を介して第２のケース１６５が開閉自在に設けられている。図２では、第１、第２のケース１６１、１６５を開放した状態を示しており、図示していないが、第２のケース１６５はその下端側のヒンジ部１６３を介して第１のケース１６１上へ閉成され、この状態においては、第１、第２のケース１６１、１６５が重合状態となり、コンパクトで携帯性に優れたものとなる。
【００２７】
第１のケース１６１内には、テレビ用アンテナ１０２、高周波受信部１０３、携帯電話用アンテナ１０５、送受信部１０７、デジタル信号処理部１０９が設けられている。
【００２８】
一方、第２のケース１６５の第１のケース１６１への重合面には、映像表示部１１５が表出して設けられている。
【００２９】
このように構成された高周波機器１０１の動作について図１、図２を用いて説明する。
【００３０】
最初に、送受信部１０７を用いて携帯電話を使用する場合について説明する。この場合には、音声入力部１１９からの音声信号がデジタル信号処理部１０９によりデジタル信号とされ、変復調回路１４３により変調され、さらに送受信回路１４４から出力された送信信号が携帯電話用アンテナ１０５から送信される。
【００３１】
一方、受信時においては、携帯電話用アンテナ１０５により受信された受信信号は、送受信回路１４４により選択され周波数変換されたのち、変復調回路１４３により復調され、さらにデジタル信号処理部１０９によりアナログ信号とされ映像表示部１１５、音声出力部１１７により視聴できる。
【００３２】
このように、携帯電話を使用時において、送受信回路１４４の送信用電力増幅器（ＰＡ）に電源を供給する電源回路１４５、映像表示部１１５、デジタル信号処理部１０９からはクロック信号やその高調波信号であるＵＨＦ帯のノイズ信号が輻射され、これらがノイズ信号源となってテレビ用アンテナ１０２に飛び込み、特に弱電界における受信品質が劣化した。
【００３３】
このノイズ信号をノイズキャンセル部１２３により改善する方法について以下説明する。
【００３４】
テレビ信号とノイズ発生源からのノイズ信号を有する高周波信号がテレビ用アンテナ１０２から整合器１２１に入力される。この整合器１２１により、テレビ用アンテナ１０２とのインピーダンス整合を図ることができ、たとえテレビ用アンテナ１０２を短くした場合においても受信感度を確保することができる。
【００３５】
この整合器１２１から出力されるテレビ信号とノイズ発生源からのノイズ信号を有する高周波信号は、ノイズキャンセル部１２３に入力される。
【００３６】
このノイズキャンセル部１２３のキャンセル信号生成回路１３３を用いることにより、テレビ用アンテナ１０２に流入した送信用電力増幅器（ＰＡ）に電源を供給する電源回路１４５からのノイズ信号をピックアップ用アンテナ１４２ａで抽出したピックアップノイズ信号を用いてノイズキャンセルすることができる。
【００３７】
また、ノイズキャンセル部１２３のキャンセル信号生成回路１３７を用いることにより、テレビ用アンテナ１０２に流入したデジタル信号処理部１０９からのノイズ信号をピックアップ用アンテナ１４２ｂで抽出したピックアップノイズ信号を用いてノイズキャンセルすることができる。
【００３８】
さらに、ノイズキャンセル部１２３のキャンセル信号生成回路１３８を用いることにより、テレビ用アンテナ１０２に流入した映像表示部１１５からのノイズ信号をピックアップ用アンテナ１４２ｃで抽出したピックアップノイズ信号を用いてノイズキャンセルすることができる。
【００３９】
このノイズキャンセル部１２３から出力される高周波信号は、チューナ部１２５に入力される。このチューナ部１２５では、システム制御部１１１により、受信チャンネルが選択され、利得制御され、周波数変換された中間周波信号あるいはベースバンド信号が出力される。
【００４０】
この中間周波信号あるいはベースバンド信号は、復調回路１２７に入力され、さらに、復調されたＴＳ信号が出力端子１０３ｂより出力される。このＴＳ信号はデジタル信号処理部１０９に入力される。このデジタル信号処理部１０９からは映像信号と音声信号が出力され、映像表示部１１５、音声出力部１１７により視聴できる。
【００４１】
また、復調回路１２７から出力されるＢＥＲ、Ｃ／Ｎ等の受信品質信号は、受信品質判定回路１２９より予め定められた基準値と比較し判定される。
【００４２】
なお、受信品質判定回路１２９では復調回路１２７からのＢＥＲ、Ｃ／Ｎを用いる代わりに、チューナ部１２５に設けられた増幅器を利得制御するためのＡＧＣ（自動利得制御）電圧を用いてもよい。
【００４３】
これにより、ノイズ信号源のノイズ信号によるテレビ受信品質が問題となるのは、弱電界での受信感度であり、弱電界信号レベルを判定できるチューナ部１２５内の後段に設けられた増幅器のＡＧＣ（自動利得制御）電圧を用いて判定することが可能となり、このＡＧＣ電圧は応答性が速いので高速に判定できる。
【００４４】
この判定信号は、システム制御部１１１に入力される。このシステム制御部１１１により、キャンセル信号生成回路１３３に設けられた位相制御器１３３ａ、利得制御器１３３ｂの位相、利得を変化させて最適化できる。
【００４５】
同様に、システム制御部１１１により、キャンセル信号生成回路１３７に設けられた位相制御器１３７ａ、利得制御器１３７ｂの位相、利得を変化させて最適化できる。さらに、システム制御部１１１により、キャンセル信号生成回路１３８に設けられた位相制御器１３８ａ、利得制御器１３８ｂの位相、利得を変化させて最適化できる。
【００４６】
このようにして、ノイズキャンセル部１２３、受信品質判定回路１２９、システム制御部１１１により、ノイズ信号源からのノイズ信号をノイズキャンセルすることができる。
【００４７】
ところが、複数のノイズ信号源からのノイズ信号によるテレビ受信品質の劣化への影響度は、高周波機器１０１の動作条件によって異なる。
【００４８】
（表１）は、テレビ受信時の動作条件におけるノイズ信号源からのノイズ信号によるテレビ受信品質の劣化への影響を表している。
【００４９】
【表１】
2010021683.tif 000003
【００５０】
このテレビ受信時の動作条件とは、例えばテレビ受信時、携帯電話の通話中におけるテレビ録画時、カメラ使用中におけるテレビ録画時等である。
【００５１】
テレビ受信時の動作条件１では、待ち受け時に、第２のケース１６５を開いてテレビ受信を行う場合であり、映像表示部１１５、デジタル信号処理部１０９からのノイズ信号がテレビ用アンテナ１０２に飛び込んでノイズキャンセル部１２３に入力される。
【００５２】
テレビ受信時の動作条件２では、待ち受け時に、第２のケース１６５を閉じてテレビ録画を行う場合であり、デジタル信号処理部１０９からのノイズ信号がテレビ用アンテナ１０２に飛び込んでノイズキャンセル部１２３に入力される。
【００５３】
テレビ受信時の動作条件３とは、待ち受け時に、第２のケース１６５を開いてカメラ部１１３の操作を行い、同時にテレビ録画を行う場合であり、映像表示部１１５、デジタル信号処理部１０９からのノイズ信号がテレビ用アンテナ１０２に飛び込んでノイズキャンセル部１２３に入力される。
【００５４】
テレビ受信時の動作条件４では、第２のケース１６５を開いて通話時に、テレビ録画を行う場合であり、電源回路１４５、映像表示部１１５、デジタル信号処理部１０９からのそれぞれのノイズ信号がテレビ用アンテナ１０２に飛び込んでノイズキャンセル部１２３に入力される。
【００５５】
なお、電源回路１４５によるノイズ信号は、送受信部１０７から出力する送信信号として大きな信号レベルを必要とされるので、他のノイズ信号に比べて大きくなる。
【００５６】
このように、テレビ受信時の動作条件１〜４において、デジタル信号処理部１０９からのノイズ信号は、常にテレビ受信品質の劣化に影響している。これは、デジタル信号処理部１０９からのクロック周波数が他に比べて比較的高いことに起因していることが考えられる。
【００５７】
また、テレビ受信時の動作条件１、３においては、映像表示部１１５を開いて表示させるので、映像表示部１１５からのノイズ信号によるテレビ受信品質への劣化が大きく発生する。
【００５８】
さらに、テレビ受信時の動作条件４においては、映像表示部１１５からのノイズ信号によるテレビ受信品質への劣化が発生するが、さらに通話状態となるので、特に電源回路１４５からのノイズ信号によるテレビ受信品質への劣化が最も大きく発生する。
【００５９】
このように、テレビ受信時の動作条件によってノイズ信号源からのノイズ信号によるテレビ受信品質の劣化への影響度が異なってくる。
【００６０】
次に、テレビ受信品質の劣化への影響が最も大きいテレビ受信時の動作条件４において、ノイズキャンセル部１２３を用いて短時間に受信品質を改善する方法について、図３、および図４（ａ）、（ｂ）を用いて以下説明する。
【００６１】
図３は、ノイズキャンセルの動作を表すフローチャートである。ステップ２３１では、チューナ部１２５により、希望チャンネルを選局する。このステップ２３１の後で、ステップ２３３に進む。
【００６２】
このステップ２３３において、受信品質判定回路１２９によりＢＥＲ、あるいはＣ／Ｎの判定を行い、予め定められた基準値より良い判定結果（ＯＫ）の場合にはステップ２３３に進みＢＥＲを判定する。
【００６３】
図４（ａ）は、この場合におけるチューナ部１２５からの出力信号を表しており、ノイズ信号源からのノイズ信号が存在しない場合を表している。
【００６４】
なお、横軸は周波数２５２であり、縦軸は信号レベル２５３である。また、受信信号２５５ａは、５．６ＭＨｚの帯域幅２５９を有し、４ＭＨｚの中心周波数２６０を有している。また、ノイズ信号２５７は、ボルツマン定数の関係する熱雑音電力と高周波機器１０１の雑音指数ＮＦを加算したものである。
【００６５】
一方、ステップ２３３において、受信品質判定回路１２９によりＢＥＲ、あるいはＣ／Ｎの判定を行い、予め定められた基準値より悪い判定結果（ＮＧ）の場合には、ステップ２３４に進みＰを０とする。
【００６６】
図４（ｂ）は、弱電界において受信信号２５５ｂが小さくなった場合のチューナ部１２５からの出力信号であり、ノイズ信号源からのノイズ信号２６２により受信信号２５５ｂのＣ／Ｎは劣化している。
【００６７】
このノイズ信号２６２は、送信用電力増幅器（ＰＡ）に電源を供給する電源回路１４５からのノイズ信号２６２ａ、デジタル信号処理部１０９からのノイズ信号２６２ｂ、映像表示部１１５からのノイズ信号２６２ｃとから構成され、ノイズ信号２６２ａが最も大きく、次にノイズ信号２６２ｂが大きく、さらにノイズ信号２６２ｃが最も小さい場合を表している。
【００６８】
さらに、このステップ２３４のあとで、ステップ２３５に進みＰを（Ｐ＋１）とする。このステップ２３５のあとで、ステップ２３７に進む。
【００６９】
このステップ２３７では、テレビ受信時の動作条件を表した（表１）に基づいて、テレビ受信品質の劣化の最も大きい送信用電力増幅器の電源回路１４５からのノイズ信号を選択するため、スイッチ１３９をオンとしてピックアップ用アンテナ１４２ａにより抽出する。このステップ２３７のあとでステップ２３９に進む。
【００７０】
このステップ２３９では、キャンセル信号生成回路１３３と合成器１３１により、入力端子１０３ａから飛び込んだ送信用電力増幅器の電源回路１４５のノイズ信号ノイズキャンセルを行うことができる。このステップ２３９のあとで、ステップ２４１に進む。
【００７１】
このステップ２４１では、受信品質判定回路１２９において前回のＢＥＲ、あるいはＣ／Ｎと比較判定を行うことにより最良値を判定し、最良値になるまではステップ２３９に戻りこれを繰り返す。
【００７２】
そして、ステップ２４１において、最良値となった場合には、ステップ２４３に進む。このステップ２４３では、ステップ２３９で得られたキャンセル信号生成回路１３３の位相、利得を保持し、さらにステップ２４５に進む。
【００７３】
このステップ２４５では、受信品質判定回路１２９によりＢＥＲ、あるいはＣ／Ｎの判定を行い、予め定められた基準値より良い判定結果（ＯＫ）の場合にはステップ２３３に戻る。一方、基準値より悪い判定結果（ＮＧ）の場合にはステップ２３５に戻る。このステップ２３５では、Ｐは２とされ、さらにステップ２３７に進む。
【００７４】
このステップ２３７では、（表１）に基づいて、テレビ受信品質の劣化の最も大きい送信用電力増幅器の電源回路１４５からのノイズ信号を選択するためスイッチ１３９をオンとしたまま、加えてテレビ受信品質の劣化の次に大きいデジタル信号処理部１０９からのノイズ信号を選択するためスイッチ１４０をオンとする。
【００７５】
このステップ２３７のあとで、ステップ２３９に進む。このステップ２３９では、追加されたキャンセル信号生成回路１３７と合成器１３１により、入力端子１０３ａから飛び込んだ送信用電力増幅器の電源回路１４５のノイズ信号ノイズキャンセルを行うことができる。このステップ２３９のあとで、ステップ２４１に進む。
【００７６】
このステップ２４１では、受信品質判定回路１２９において前回のＢＥＲ、あるいはＣ／Ｎと比較判定を行うことにより最良値を判定し、最良値になるまではステップ２３９に戻りこれを繰り返す。
【００７７】
そして、ステップ２４１において、最良値となった場合には、ステップ２４３に進む。このステップ２４３では、ステップ２３９で得られたキャンセル信号生成回路１３３および１３７の位相、利得をともに保持し、さらにステップ２４５に進む。
【００７８】
このステップ２４５では、受信品質判定回路１２９によりＢＥＲ、あるいはＣ／Ｎの判定を行い、予め定められた基準値より良い判定結果（ＯＫ）の場合にはステップ２３３に戻る。一方、基準値より悪い判定結果（ＮＧ）の場合にはステップ２３５に戻る。このステップ２３５では、Ｐは３とされ、さらにステップ２３７に進む。
【００７９】
このステップ２３７では、テレビ受信時の動作条件を表した（表１）に基づいて、スイッチ１３９、１４０をオンとしたまま、さらにテレビ受信品質の劣化の小さい映像表示部１１５からのノイズ信号を選択するため、スイッチ１４１をオンとする。これにより、ピックアップ用アンテナ１４２ｃからのピックアップノイズ信号を用いてキャンセル信号生成回路１３８によりノイズキャンセルする。
【００８０】
このステップ２３７のあとでステップ２３９、２４１に進み、最良値となった場合にステップ２４３、２４５と同様に進む。
【００８１】
このステップ２３５〜２４５の一連の動作を繰り返すことにより、ノイズ信号２６２を、ノイズ信号２５７に近接して小さくできるので、受信信号のＣ／Ｎを改善できる。
【００８２】
このように、テレビ受信時の動作条件が異なる場合には、（表１）に表すようにオンとするスイッチの員数のＰ個と、このＰ個のスイッチのオンにする順番はそれぞれ異なる。
【００８３】
すなわち、動作条件４についてはこれまでに説明したように、スイッチ１３９を最初にオンとし、さらにスイッチ１４０を次にオンとし、最後にスイッチ１４１をオンとした。これにより、スイッチの員数であるＰ個は３個となる。
【００８４】
また、動作条件１あるいは動作条件３では、スイッチ１４０を最初にオンとし、さらにスイッチ１４１を次にオンとし、スイッチの員数であるＰ個は２個となる。
【００８５】
さらに、動作条件２では、スイッチ１４０をオンとすればよいので、スイッチの員数であるＰ個は１個となる。
【００８６】
以上のように、ノイズ発生源からのノイズ信号がテレビ用アンテナ１０２に飛び込むことによりテレビ受信品質が劣化したとしても、入力端子１０３ａから入力された複数のノイズ信号をピックアップ用アンテナで抽出したピックアップノイズ信号を用いて受信品質の劣化に影響のある順に選択して、また個別にノイズキャンセルを行うことができる。
【００８７】
これにより、短時間にノイズキャンセル動作を完了でき、高周波信号の受信品質を改善できる。
【００８８】
また、テレビ受信時の動作条件１〜４に合わせて、予めオンにするスイッチとオンにする順序を定めておくことにより、さらに短い時間でノイズキャンセルの動作を完了することができる。
【００８９】
なお、テレビ信号としてデジタル信号を用いた場合について説明したが、１セグメント信号の受信あるいはアナログ信号の受信においても同様である。
【産業上の利用可能性】
【００９０】
以上の如く本発明は、テレビ信号の受信可能な携帯電話、携帯式のゲーム機、携帯式のコンピュータ、携帯式の辞書、カーナビゲーション等に用いることができる。
【図面の簡単な説明】
【００９１】
【図１】本発明の実施の形態１における高周波機器のブロック図
【図２】同、高周波機器の各回路ブロックの配置図
【図３】同、ノイズキャンセルの動作を表すフローチャート
【図４】（ａ）同、チューナ部からの出力信号を示す図、（ｂ）同、チューナ部からの出力信号を示す図
【符号の説明】
【００９２】
１０３  高周波受信部
１０３ａ  入力端子
１２３  ノイズキャンセル部
１２５  チューナ部
１２７  復調回路
１４２ａ  ピックアップ用アンテナ
１４２ｂ  ピックアップ用アンテナ
１４２ｃ  ピックアップ用アンテナ
【図１】
2010021683.tif 000004
【図２】
2010021683.tif 000005
【図３】
2010021683.tif 000006
【図４】
2010021683.tif 000007